(57)【要約】      （修正有）【課題】リュックサック、ディバッグなどの背負いベルト部分に、移動体通信端末入れを含む小物入れを着脱可能な状態で装着する場合に、上下方向の稼働を固定することができる小物入れを提供する。【解決手段】移動体通信端末入れを含む小物入れ３”の背負いベルトと接する面に、上向き傾斜パイル或いは傾斜ブラシ６”＆７”及び下向き傾斜パイル或いは傾斜ブラシ８”＆９”の双方を取り付け、背負いベルトの織物表面２”−１”にベルトなどにより密着させるように取り付ける。【選択図】図５
0003211294.tif 000002
【実用新案登録請求の範囲】
【請求項１】
リュックサック、ディバッグなどの背嚢の背負いベルトに装着して使用される移動体通信端末入れを含む小物入れで、その背負いベルトに接する面に上向き傾斜の傾斜パイルと下向き傾斜の傾斜パイルの双方を上下或いは左右など何らかの組み合わせで取り付け、それらを背負いベルトに接触させて装着することで、背負いベルト対して上下方向に動かないように固定して使用することを可能にした移動体通信端末入れを含む小物入れ。
【請求項２】
リュックサック、ディバッグなどの背嚢の背負いベルトに装着して使用される移動体通信端末入れを含む小物入れで、その背負いベルトに接する面に上向き傾斜の傾斜ブラシと下向き傾斜の傾斜ブラシの双方を上下或いは左右など何らかの組み合わせで取り付け、それらを背負いベルトに接触させて装着することで、背負いベルト対して上下方向に動かないように固定して使用することを可能にした移動体通信端末入れを含む小物入れ。
【請求項３】
リュックサック、ディバッグなどの背嚢の背負いベルトに装着して使用される移動体通信端末入れを含む小物入れで、その背負いベルトに接する面に下向き傾斜の傾斜パイルを取り付け、それを背負いベルトに接触させて装着することで、背負いベルト対して下方向に動かないように固定して使用することを可能にした移動体通信端末入れを含む小物入れ。
【請求項４】
リュックサック、ディバッグなどの背嚢の背負いベルトに装着して使用される移動体通信端末入れを含む小物入れで、その背負いベルトに接する面に下向き傾斜の傾斜ブラシを取り付け、それを背負いベルトに接触させて装着することで、背負いベルト対して下方向に動かないように固定して使用することを可能にした移動体通信端末入れを含む小物入れ。
【考案の詳細な説明】
【技術分野】
【０００１】本考案は、織物状の凹凸のある構造体に対して、傾斜パイル或いは傾斜ブラシを接触させた場合に、双方が相対的に傾斜に逆らう方向には動かなくなることを応用したものである。具体的には、リュックサック、ディバッグなどの背嚢の背負いベルト部分に、移動体通信端末入れを含む小物入れを当該応用にて固定して装着する取付構造に関する考案である。
【背景技術】
【０００２】傾斜パイル或いは傾斜ブラシは、埃取り、毛玉取り、空気調和機などの様々な用途で製品が製造され、それら自体、及びそれらを活用した発明は多岐に亘っている。本考案は、かかる傾斜パイル或いは傾斜ブラシを活用したものである。
【考案の概要】
【考案が解決しようとする課題】
【０００３】リュックサック、ディバッグなどの背嚢の背負いベルト部分に、移動体通信端末入れを含む小物入れを着脱可能な状態で装着し、装着中は位置が上下に動かないように固定して使用したい。しかしながら、当該背負いベルトが特段の取り付け機構や位置固定機構を有さない場合には、背負いベルトに着脱可能な状態で装着し、かつ使用中に上方向、下方向ともに位置が動かないように固定して使用することは容易ではない。
【課題を解決するための手段】
【０００４】本考案は、織物生地を使って製造され表面に織物繊維による凹凸がある背負いベルトを有するリュックサック、ディバッグなどの背嚢に移動体通信端末入れを含む小物入れを装着する場合に適用可能な解決手段である。本考案は、移動体通信端末入れを含む小物入れの背負いベルトに接する面に上向き傾斜の傾斜パイル或いは傾斜ブラシと下向き傾斜の傾斜パイル或いは傾斜ブラシの双方をとりつけ、面ファスナーやベルトなどにより着脱可能な状態で背負いベルトに接触させて装着することで、移動体通信端末入れを含む小物入れが、背負いベルトに対して上下方向に移動せず固定された状態で使用可能となる。その機構は、移動体通信端末入れを含む小物入れに取り付けた上向き傾斜の傾斜パイル或いは傾斜ブラシを、背負いベルト表面の織物繊維による凸凹に対して接触させることで移動体通信端末入れを含む小物入れが背負いベルトに対して上方向に移動することを抑止する効果が得られる。また、移動体通信端末入れを含む小物入れに取り付けた下向き傾斜の傾斜パイル或いは傾斜ブラシを背負いベルト表面の織物繊維による凸凹に対して接触させることで移動体通信端末入れを含む小物入れが背負いベルトに対して下方向に移動することを抑止する効果が得られる。上向き傾斜の傾斜パイル或いは傾斜ブラシと下向き傾斜の傾斜パイル或いは傾斜ブラシの双方を背負いベルト表面の織物繊維に接触させて装着することで、移動体通信端末入れを含む小物入れが背負いベルトに対して上下方向に動かないよう固定して使用することが可能になる。
【考案の効果】
【０００５】上記のような機構及び装着方法をとることで、織物生地を使って製造され表面に織物繊維による凹凸がある背負いベルトを有するリュックサック、ディバッグなどの背嚢であれば、背負いベルトが特段の取り付け機構や固定機構を有さない場合であっても、移動体通信端末入れを含む小物入れを背負いベルトに対して上方向、下方向ともに位置が動かないように固定して使用することが可能となるため、実用性に優れている。
【考案を実施するための形態】
【０００６】図１及び図２に一例として示す通り、リュックサック、ディバッグなどの背嚢の背負いベルトに移動体通信端末入れを含む小物入れを取り付けて使用する場合、移動体通信端末入れを含む小物入れの背負いベルトに接する面に上向き傾斜の傾斜パイル或いは傾斜ブラシと下向き傾斜の傾斜パイル或いは傾斜ブラシの双方をとりつけたうえ、面ファスナーやベルトなどにより着脱可能な状態で背負いベルトに接触させて装着することで、動体通信端末入れを含む小物入れを背負いベルトに対して上下方向に固定して使用を可能とする。
【図面の簡単な説明】
【０００７】
【図１】リュックサック、ディバッグなどの背嚢と背負いベルト部分の一例と、その背負いベルト部分に移動体通信端末入れを含む小物入れを装着する例。
【０００８】
【図２】背負いベルト部分に移動体通信端末入れを含む小物入れを着脱可能な状態で接触して装着する方法の一例。左の上下の図が本考案に基づく背負いベルトに接する面に、上向き傾斜の傾斜パイルと下向き傾斜の傾斜パイルの双方がとりつけられた移動体通信端末入れを含む小物入れの一例。右上の図が装着前の機構を上から見た断面図で表したもの。右下の図が、装着後の機構を上から見た断面図で表したもの。
【０００９】
【図３】上下の装着位置固定の機構１。上向き傾斜パイル或いは傾斜ブラシを背負いベルト部分の織物表面の凹凸へ接触させることで、上向き傾斜パイル或いはブラシの上方向への移動を抑止。傾斜パイル或いはブラシにより上方向への移動を抑止する原理を横から見た断面図で表したもの。
【００１０】
【図４】上下の装着位置固定の機構２。下向き傾斜パイル或いは傾斜ブラシを背負いベルト部分の織物表面の凹凸へ接触させることで、下向き傾斜パイル或いはブラシの下方向への移動を抑止。傾斜パイル或いはブラシにより下方向への移動を抑止する原理を横から見た断面図で表したもの。
【００１１】
【図５】上下の装着位置固定の機構３。移動体通信端末入れを含む小物入れに取り付けた上向きと下向きの双方の傾斜パイル或いは傾斜ブラシを背負いベルト部分の織物表面への接触させることにより、移動体通信端末入れを含む小物入れを上方向、下方向の双方ともに動かない位置固定の効果を得る。傾斜パイル或いはブラシにより上下方向への移動を抑止する原理を横から見た断面図で表したもの。
【符号の説明】
【００１２】１  リュックサック、ディバッグなどの背嚢
２  背負いベルト
２’  背負いベルト（上方から見た断面図）
２”  背負いベルト（側方から見た断面図）
２”−１”  背負いベルト表側織物表面（側方から見た断面図）
２”−２”  背負いベルト裏側織物表面（側方から見た断面図）
３  移動体通信端末入れを含む小物入れ
３”  移動体通信端末入れを含む小物入れ（側方から見た断面図）
３−１  移動体通信端末入れを含む小物入れの固定用フリップ右側
３−２  移動体通信端末入れを含む小物入れの固定用フリップ左側
４  面ファスナー
４’  面ファスナー（上方から見た断面図）
４”  面ファスナー（側方から見た断面図）
５  面ファスナー
５’  面ファスナー（上方から見た断面図）
５”  面ファスナー（側方から見た断面図）
６  上向き傾斜パイル或いは傾斜ブラシ
６’  上向き傾斜パイル或いは傾斜ブラシ（上方から見た断面図）
６”  上向き傾斜パイル或いは傾斜ブラシ（側方から見た断面図）
７  上向き傾斜パイル或いは傾斜ブラシ
７’  上向き傾斜パイル或いは傾斜ブラシ（上方から見た断面図）
７”  上向き傾斜パイル或いは傾斜ブラシ（側方から見た断面図）
８  下向き傾斜パイル或いは傾斜ブラシ
８’  下向き傾斜パイル或いは傾斜ブラシ（上方から見た断面図）
８”  下向き傾斜パイル或いは傾斜ブラシ（側方から見た断面図）
９  下向き傾斜パイル或いは傾斜ブラシ
９’  下向き傾斜パイル或いは傾斜ブラシ（上方から見た断面図）
９”  下向き傾斜パイル或いは傾斜ブラシ（側方から見た断面図）
【図１】
0003211294.tif 000003
【図２】
0003211294.tif 000004
【図３】
0003211294.tif 000005
【図４】
0003211294.tif 000006
【図５】
0003211294.tif 000007